(57)【要約】【課題】配膳車における車輪及びその近傍の細菌汚染の防止に配慮した配膳車を提供する。【解決手段】車両本体１の側面に開閉自在な扉４ａ、４ｂを設けると共に、車両本体１を前後方向に仕切板５で仕切って、食事を載置した複数のトレー９を配置可能に構成した複数のトレー受け８をその内部に有する温蔵庫６と冷蔵庫７とを形成し、車両本体１の下部にモーターにより駆動される走行用車輪２、及び、操向車輪３を設けて形成される自走式の配膳車において、これらの車輪２、３が抗菌性を有する部材を備えているので、車輪２、３及びその近傍の細菌汚染の防止に寄与することができる。【選択図】　　　　図１
2004024469.tif 000002
【特許請求の範囲】
【請求項１】
車両本体の側面に開閉自在な扉を設けると共に、車両本体を前後方向に仕切って、食事を載置した複数のトレーを内部に配置可能な温蔵庫と冷蔵庫とを形成し、車両本体の下部にモーターにより駆動される走行用の車輪を設けて形成される自走式の配膳車において、前記車輪が抗菌性を有する部材を備えることを特徴とする配膳車。
【請求項２】
前記抗菌性を有する部材が、車輪外輪部であることを特徴とする請求項１記載の配膳車。
【発明の詳細な説明】
【０００１】
【発明の属する技術分野】
本発明は、食事を配るときに使用する配膳車に関するものである。
【０００２】
【従来の技術】
病院や学校等で各部屋に食事を配る場合、主食や副食、デザート等をそれぞれ盛り付けた食器をトレーの上に並べた後、このトレーを配膳車内に複数収納し、配膳車を走行させて各部屋を回りながら、配膳車からトレーを取り出して食事を配ることが行われている。このような配膳車としては、例えば図２に示すような、配膳車の車両本体１３の側面に扉１６（図は左側の扉１６ａを開き、右側の扉１６ｂを閉じた状態を示す）を設けて、側面を開閉自在に形成すると共に、車両本体１３内を仕切板１７で仕切って、食器等を並べた複数のトレー２１を内部に配置可能な温蔵庫１８と冷蔵庫１９とを形成し、車両本体１３の下部にモーターにより駆動される走行用の車輪１４を設けた、保温と保冷の機能を有する自走式の配膳車が提供されている（例えば、特開平１０−７１０２６号）。いうまでもなく、かかる配膳車は、清潔であることが要求される。このような観点から、本願出願人においても、清潔性の確保を念頭においた種々の配膳車の提案を行ってきた（例えば、特開平１０−１４６６９号、特開２０００−２３６９７４号等）。
【０００３】
その一方で、近年の院内感染等に対する衛生意識の高揚と共に、特に、病院等医療施設で使用される配膳車においては、細菌等の侵入防止に配慮した配膳車の出現が待望されている。とりわけ、かかる配膳車の構成部材のなかでも、車輪及びその近傍は、床面と直接、接触する関係から、不潔になり易く、特に、改善が求められていた。
【０００４】
【発明が解決しようとする課題】
本発明は、上記事由に鑑みてなされたもので、その目的とするところは、配膳車における車輪及びその近傍の細菌汚染の防止に配慮した配膳車を提供することにある。
【０００５】
【課題を解決するための手段】
上記課題を解決するために、請求項１に係る配膳車にあっては、車両本体の側面に開閉自在な扉を設けると共に、車両本体を前後方向に仕切って、食事を載置した複数のトレーを内部に配置可能な温蔵庫と冷蔵庫とを形成し、車両本体の下部にモーターにより駆動される走行用の車輪を設けて形成される自走式の配膳車において、前記車輪が抗菌性を有する部材を備えることを特徴とするものである。なお、ここでいう車輪には、地面、床面その他の走行面に、直接、接触する部位が、球面で構成されるものを含むものとする。
【０００６】
請求項２に係る配膳車にあっては、請求項１記載の配膳車において、前記抗菌性を有する部材が、車輪外輪部であることを特徴とするものである。なお、ここでいう車輪外輪部とは、地面、床面その他の走行面に、直接、接触する部位をいい、タイヤが典型例として例示できる。
【０００７】
【発明の実施の形態】
以下、本発明の実施形態を図面に基づき説明する。なお、本発明の配膳車は、下記の実施形態にのみ限定されるものではなく、本発明の要旨を逸脱しない範囲内において種々変更を加え得ることは勿論である。ここで、図１は本発明の配膳車の典型的実施形態の概略を示すものであり、（ａ）は側面図、（ｂ）は要部斜視図である。一方、図２は、従来例に係る配膳車の構成の概略を例示する側面図である。
【０００８】
即ち、本実施形態における配膳車は、図１（ａ）、（ｂ）に示すように、車両本体１の下部にＤＣサーボモーター等の駆動手段により駆動される走行用車輪２と、自在方向に向く操向車輪３を備えている。
【０００９】
そして車両本体１は、両側の側面が開口する箱状の温冷庫と、その温冷庫の両側の開口部分を除いて、温冷庫の外面に外装される外装パネルと、温冷庫の両側の側面の開口部分に、開閉自在な扉４が取り付けて形成してある。なお、図１（ａ）は左側の扉４ａを開き、右側の扉４ｂを閉じた状態を示すものである。
【００１０】
さらに、車両本体１は、前後方向に仕切板５で仕切って温蔵庫６と冷蔵庫７とが形成されており、その温蔵庫６と冷蔵庫７の内部に、縦方向に複数並べて、トレー受け８が形成されている。そして、食事を配るときには、食物を盛り付けた食器を並べたトレー９を、仕切板５に填め込むと共にトレー受け８の上に乗せることにより、食事を載置した複数のトレー９を、温蔵庫６及び冷蔵庫７の内部に配置することができる一方、配膳車が走行するときには、トレー９が動かないように固定して食事を配ることが可能になっている。
【００１１】
一方、温蔵庫６内には、図示しない中空の温風ダクトが縦方向に配設してあり、その温風ダクト内部には、加熱用熱交換機及び温風循環用ファンが設けられている。そして、温風ダクトの側面には穴が形成されており、加熱用熱交換機で加熱した温風を、温風ダクトから温蔵庫６内に吹き出して温蔵庫６内を加温することにより、トレー９の上の食物を保温するようになっている。
【００１２】
また、冷蔵庫７内には、図示しない中空の冷風ダクトが縦方向に配設してあり、その冷風ダクト内部には、冷却用熱交換機（エバポレーター）及び冷風循環用ファンが設けられている。そして、冷風ダクトの側面には穴が形成されており、冷却用熱交換機で冷却した冷風を、冷風ダクトから冷蔵庫７内に吹き出して、冷蔵庫７内を冷却することにより、トレー９の上の食物を保冷するようになっている。
【００１３】
なお、温蔵庫６や冷蔵庫７の内部には、温度センサーが設けられており、温度センサーで求めた温度を、加熱用熱交換機や冷却用熱交換機のコントローラーにフィードバックすることにより加熱用熱交換機や冷却用熱交換機の出力を調整し、温蔵庫６内の温度や冷蔵庫７内の温度を所定の温度に調整するようになっている。
【００１４】
また、車両本体１の上部には各種スイッチ類や計器類が形成された操作表示部１０が設けられており、車両本体１の正面側及び背面側には、食事を配る人が掴んで走行方向を調整するためのハンドル１１が設けられている。
【００１５】
一方、上記したように、本実施形態における配膳車は、前記車輪２、３が抗菌性を有する部材を備えることを特徴とするものである。即ち、食事の運搬を直接的に担うかかる配膳車は、清潔であることが要求されるのはいうまでもなく、特に、病院等の医療施設では、なおさらである。特に、配膳車の構成部材の中でも、車輪は、不潔になり易い床面に直接接触するものであり、その清潔性の確保には、特別な配慮が要請される。かかる要請は、駆動手段により駆動される走行用車輪２、自在方向に向く操向車輪３のいずれにも妥当するものである。
【００１６】
具体的には、例えば、上記抗菌性を有する部材を車輪外輪部１２とする構成を例示できる。さらに、具体的には、この車輪外輪部１２を抗菌剤を配合してなる高分子材料を用いて形成する実施形態を例示することができる。即ち、ＡＢＳ樹脂にその２．０質量％の抗菌性有機酸金属塩（商品名：アデカロイヤルガード　ＢＣ−２５０［旭電化工業株式会社製］）を配合して、この配合物をＡＢＳ樹脂の通常の成型条件で形成した車輪外輪部１２ａ（直径８．０ｃｍ）を有する操向車輪３を得た。当然ながら、走行用車輪２についても、同様の構成が可能である。
【００１７】
いうまでもなく、上記抗菌性を有する車輪外輪部１２の構成は、上記のものにのみ限定されるものではなく、例えば、その形状においても、上記したように、球面で構成されるもの等を含む他、材質面においても、この車輪外輪部１２を、抗菌剤を配合してなるゴムを用いて形成する実施形態、或いは、この車輪外輪部１２を抗菌剤を配合してなる塗料の塗膜を有するように構成する実施形態等も当然に可能であり、更には、上記抗菌性を有する部材は車輪外輪部１２にのみ限定されるものではなく、上記課題解決に寄与し得る限りにおいて、特に制約のないことは勿論である。
【００１８】
このように、本発明の配膳車にあっては、車輪が抗菌性を有する部材を備えているので、車輪２、３及びその近傍の細菌汚染の防止に寄与し得るというものである。
【００１９】
【発明の効果】
以上のように、請求項１〜請求項２に係る配膳車にあっては、車両本体の側面に開閉自在な扉を設けると共に、車両本体を前後方向に仕切って、食事を載置した複数のトレーを内部に配置可能な温蔵庫と冷蔵庫とを形成し、車両本体の下部にモーターにより駆動される走行用の車輪を設けて形成される自走式の配膳車において、前記車輪が抗菌性を有する部材を備えているので、車輪及びその近傍の細菌汚染の防止に寄与し得るという優れた効果を奏する。
【図面の簡単な説明】
【図１】本発明の配膳車の実施形態の概略を示すものであり、（ａ）は側面図、（ｂ）は要部斜視図である。
【図２】従来例に係る配膳車の構成の概略を例示する側面図である。
【符号の説明】
１　　　車両本体
２　　　走行用車輪
３　　　操向車輪
４　　　扉
４ａ　　扉（左側）
４ｂ　　扉（右側）
５　　　仕切板
６　　　温蔵庫
７　　　冷蔵庫
８　　　トレー受け
９　　　トレー
１０　　　操作表示部
１１　　　ハンドル
１２　　　車輪外輪部
１２ａ　　車輪外輪部（操向車輪３）
１３　　　車両本体
１４　　　走行用車輪
１５　　　操向車輪
１６　　　扉
１６ａ　　扉（左側）
１６ｂ　　扉（右側）
１７　　　仕切板
１８　　　温蔵庫
１９　　　冷蔵庫
２０　　　トレー受け
２１　　　トレー
２２　　　操作表示部
２３　　　ハンドル
【図１】
2004024469.tif 000003
【図２】
2004024469.tif 000004